(57)【要約】【課題】暖房機本体に本体操作部が設けられた暖房機において、子供のいたずらなどによる動作を防ぐことができ、使用の快適性を向上させることができる暖房機を提供する。【解決手段】暖房機に設けられた本体操作部６は、少なくとも、暖房機本体１の運転状態と運転停止状態とに切替操作が可能な運転切替部と、ロック状態とアンロック状態との間で切替操作が可能なロック切替部とを有する。暖房機は、ロック状態とアンロック状態との間で切替操作が可能なリモコン８を備える。リモコン８によって、アンロック状態からロック状態へ切替操作の指示がされると、本体操作部６による操作を不能とする操作ロックを実行する。【選択図】図１
2018035985.tif 000002
【特許請求の範囲】
【請求項１】
暖房機本体を操作する本体操作部が当該暖房機本体に設けられており、
前記本体操作部は、少なくとも、
前記暖房機本体の運転状態と運転停止状態とで切替操作が可能な運転切替部と、
前記運転切替部による前記運転停止状態から前記運転状態への切替操作を実行させないロック状態と前記ロック状態を解除したアンロック状態との間で切替操作が可能なロック切替部と
を有する暖房機であって、
前記暖房機本体に対して、少なくとも、前記ロック状態と前記アンロック状態との間で切替操作ができるように構成されたリモコンを備え、
前記リモコンによって、前記暖房機本体に対し、前記アンロック状態から前記ロック状態へ切替操作の指示がされると、前記本体操作部による操作を不能とする操作ロックを実行する
ことを特徴とする暖房機。
【請求項２】
前記操作ロックは、
前記暖房機本体が運転した状態において、前記リモコンによって、前記アンロック状態から前記ロック状態へ切替操作の指示がされると、前記運転切替部による運転停止状態への切替操作を不能とさせ、かつ、前記ロック切替部による前記ロック状態から前記アンロック状態への切替操作を不能とさせる
ことを特徴とする請求項１記載の暖房機。
【請求項３】
前記操作ロックは、
前記暖房機本体の運転停止状態において、前記リモコンによって、前記アンロック状態から前記ロック状態へ切替操作の指示がされると、前記ロック切替部による前記ロック状態から前記アンロック状態への切替操作を不能とさせる
ことを特徴とする請求項１または請求項２記載の暖房機。
【請求項４】
前記リモコンは、前記暖房機本体に対し運転状態と運転停止状態とで切替操作が可能なリモコン側運転切替部を備え、
前記リモコンによって、前記アンロック状態から前記ロック状態へ切替操作の指示がされた場合において、前記リモコン側運転切替部による切替操作が可能である
ことを特徴とする請求項１〜３のいずれか一項に記載の暖房機。
【請求項５】
前記リモコンは、前記暖房機本体に対し運転状態と運転停止状態とで切替操作が可能なリモコン側運転切替部を備え、
前記リモコンによって、前記アンロック状態から前記ロック状態へ切替操作の指示がされると、前記リモコン側運転切替部による切替操作のうち、運転状態から運転停止状態への切替操作のみが可能である
ことを特徴とする請求項１〜３のいずれか一項に記載の暖房機。
【請求項６】
前記リモコンは前記暖房機本体に無線で通信可能に構成され、
前記リモコンは、前記暖房機本体に対し、定期的にまたは連続的に出力される信号を送信するように構成されており、
前記暖房機本体が運転した状態で前記操作ロックが実行された状態において、前記暖房機本体の前記信号の受信が一定時間遮断された信号遮断状態になると、前記操作ロックから、前記運転切替部による運転停止への切替操作が可能な別の操作ロックに変更される
ことを特徴とする請求項１〜５のいずれか一項に記載の暖房機。
【請求項７】
前記リモコンは前記暖房機本体に無線で通信可能に構成され、
前記リモコンは、前記暖房機本体に対し、定期的にまたは連続的に出力される信号を送信するように構成されており、
前記暖房機本体が運転停止状態で前記操作ロックが実行された状態において、前記暖房機本体の前記信号の受信が一定時間遮断された信号遮断状態になると、前記操作ロックから、前記ロック切替部による前記アンロック状態への切替操作が可能な別の操作ロックに変更される
ことを特徴とする請求項１〜６のいずれか一項に記載の暖房機。
【請求項８】
前記暖房機本体は、前記別の操作ロックに変更された後、前記信号を定期的または連続的に受信すると、再度、前記操作ロックを実行する
ことを特徴とする請求項６または請求項７に記載の暖房機。
【発明の詳細な説明】
【技術分野】
【０００１】
本発明は、暖房機に関し、特に、暖房機本体に本体操作部が設けられた暖房機に関する。
【背景技術】
【０００２】
特許文献１には、従来の暖房機が開示されている。この特許文献１記載の石油ファンヒータは、ケーシングに設けられた操作パネルを有している。操作パネルには、運転「入」スイッチ，運転「切」スイッチ，チャイルドロックスイッチ等が設けられており、これらスイッチを操作することによって、本体の操作を行うことができる。
【０００３】
例えば、チャイルドロックスイッチが「入」に操作されると、運転停止状態から運転状態へ切り替えるための運転「入」スイッチを操作しても、当該運転「入」スイッチによる指示を本体が受け付けないように制御される。
【先行技術文献】
【特許文献】
【０００４】
【特許文献１】特開平１０−４７６５６号公報
【発明の概要】
【発明が解決しようとする課題】
【０００５】
ところで、この種の暖房機においては、チャイルドロックが「入」となった状態であっても、運転「切」スイッチの操作や、チャイルドロックを「切」に切り替える操作については、操作を受け付けるように制御される。
【０００６】
このため、従来の暖房機では、子供やペットのいたずら等によって、例えば、暖房運転中にあっては不必要に停止されたり、運転停止中にあってはチャイルドロックが「切」に切替操作されたりすることがあり、使用時の快適性を妨げることがあった。
【０００７】
本発明は、上記事情に鑑みてなされたものであり、その目的とするところは、本体に操作部が設けられた暖房機において、子供のいたずらなどによる動作を防ぐことができ、使用の快適性を向上させることができる暖房機を提供することにある。
【課題を解決するための手段】
【０００８】
本発明の暖房機は、暖房機本体を操作する本体操作部が当該暖房機本体に設けられており、前記本体操作部は、少なくとも、前記暖房機本体の運転状態と運転停止状態との切替操作が可能な運転切替部と、前記運転切替部による前記運転停止状態から前記運転状態への切替操作を実行させないロック状態と前記ロック状態を解除したアンロック状態との間で切替操作が可能なロック切替部とを有する暖房機であって、前記暖房機本体に対して、少なくとも、前記ロック状態と前記アンロック状態との間で切替操作ができるように構成されたリモコンを備え、前記リモコンによって、前記暖房機本体に対し、前記アンロック状態から前記ロック状態へ切替操作の指示がされると、前記本体操作部による操作を不能とさせる操作ロックを実行することを特徴とする。
【０００９】
この構成によれば、例えば、リモコンによってロック状態へ切替操作した後、リモコンを子供等の手の届かない場所に置くことで、子供等がいたずらをして、運転中に本体操作部の運転切替部を操作しようとしても、暖房機本体が運転停止してしまうのを防止でき、また、本体操作部のロック切替部の切替操作をしようとしても、ロック状態が解除されるのを防止できる。
【００１０】
また、この暖房機において、前記操作ロックは、前記暖房機本体が運転した状態において、前記リモコンによって、前記アンロック状態から前記ロック状態へ切替操作の指示がされると、前記運転切替部による運転停止状態への切替操作を不能とさせ、かつ、前記ロック切替部による前記ロック状態から前記アンロック状態への切替操作を不能とさせることが好ましい。
【００１１】
この構成によれば、運転中の暖房機本体が、本体操作部からの操作で停止したり、ロック状態が解除されたりするのを防ぐことができるため、幼児やペットのいたずらによって、運転中の暖房機本体が停止するのを防ぐことができる。
【００１２】
また、この暖房機において、前記操作ロックは、前記暖房機本体の運転停止状態において、前記リモコンによって、前記アンロック状態から前記ロック状態へ切替操作の指示がされると、前記ロック切替部による前記ロック状態から前記アンロック状態への切替操作を不能とさせることが好ましい。
【００１３】
この構成によれば、運転停止中の暖房機本体が、本体操作部からの操作でロック状態が解除されるのを防ぐことができるため、幼児やペットのいたずらによって、運転停止中の暖房機本体が運転開始するのを防ぐことができる。
【００１４】
また、この暖房機において、前記リモコンは、前記暖房機本体に対し運転状態と運転停止状態とで切替操作が可能なリモコン側運転切替部を備え、前記リモコンによって、前記アンロック状態から前記ロック状態へ切替操作の指示がされた場合において、前記リモコン側運転切替部による切替操作が可能であることが好ましい。
【００１５】
この構成によれば、本体操作部からの切替操作が不能である一方、リモコンによる運転開始操作または運転停止操作は可能であるため、例えば、緊急的に暖房機本体を停止させる必要が生じた場合にも、容易に運転停止に切替操作が可能となる。
【００１６】
また、この暖房機において、前記リモコンは、前記暖房機本体に対し運転状態と運転停止状態とで切替操作が可能なリモコン側運転切替部を備え、前記リモコンによって、前記アンロック状態から前記ロック状態へ切替操作の指示がされると、前記リモコン側運転切替部による切替操作のうち、運転状態から運転停止状態への切替操作のみが可能であることが好ましい。
【００１７】
この構成によれば、本体操作部からの切替操作が不能である一方、リモコンによる運転停止操作のみが可能となるため、緊急的に暖房機本体を停止させる必要が生じた場合に、容易に運転停止に切替操作が可能となる上に、暖房機本体の運転停止中における誤操作等による意図しない運転開始を抑制することができる。
【００１８】
また、この暖房機において、前記リモコンは前記暖房機本体に無線で通信可能に構成され、前記リモコンは、前記暖房機本体に対し、定期的にまたは連続的に出力される信号を送信するように構成されており、前記暖房機本体が運転した状態で前記操作ロックが実行された状態において、前記暖房機本体の前記信号の受信が一定時間遮断された信号遮断状態になると、前記操作ロックから、前記運転切替部による運転停止への切替操作が可能な別の操作ロックに変更されることが好ましい。
【００１９】
この構成によれば、ロック状態の暖房機本体が運転中に、リモコンの電池が消耗したり、リモコンが暖房機本体から離れ過ぎたりした場合において、万が一、暖房機本体を緊急的に停止する必要が生じても、本体操作部による運転停止への切替操作が可能となる。
【００２０】
また、この暖房機において、前記リモコンは前記暖房機本体に無線で通信可能に構成され、前記リモコンは、前記暖房機本体に対し、定期的にまたは連続的に出力される信号を送信するように構成されており、前記暖房機本体が運転停止状態で前記操作ロックが実行された状態において、前記暖房機本体の前記信号の受信が一定時間遮断された信号遮断状態になると、前記操作ロックから、前記ロック切替部による前記アンロック状態への切替操作が可能な別の操作ロックに変更されることが好ましい。
【００２１】
この構成によれば、ロック状態の暖房機本体が運転停止中に、リモコンの電池が消耗したり、リモコンを紛失したりしても、本体操作部によるロック状態の解除が可能となるため、使用できない事態に陥ることを抑制できる。
【００２２】
また、この暖房機において、前記暖房機本体は、前記別の操作ロックに変更された後、前記信号を定期的または連続的に受信すると、再度、前記操作ロックを実行することが好ましい。
【００２３】
この構成によれば、仮に、リモコンが一時的に遠くに移動して、信号遮断状態になっても、再度暖房機本体に近づければ、再び、暖房機本体の本体操作部による切替操作を不能とさせることができ、本体操作部の適切なロック状態を継続することができる。
【発明の効果】
【００２４】
本発明の暖房機によれば、本体に操作部が設けられた暖房機において、子供のいたずらなどによる動作を防ぐことができ、使用の快適性を向上させることができる。
【図面の簡単な説明】
【００２５】
【図１】図１は、本実施形態の暖房機の全体図である。
【図２】図２は、同上の暖房機本体のブロック図である。
【図３】図３は、同上の本体操作部の拡大図である。
【図４】図４は、同上のロック切替部によりロック状態に切替操作されたときのフローチャートである。
【図５】図５は、同上のリモコンの正面図である。
【図６】図６は、同上の暖房機本体が運転停止中において、リモコン側ロック切替部を切替操作した場合のフローチャートである。
【図７】図７は、同上の暖房機本体が運転中において、リモコン側ロック切替部を切替操作した場合のフローチャートである。
【図８】図８は、同上の暖房機本体が運転停止中において、リモコン側ロック切替部を切替操作した場合のフローチャートである。
【図９】図９は、同上の暖房機本体が運転中において、リモコン側ロック切替部を切替操作した場合のフローチャートである。
【発明を実施するための形態】
【００２６】
以下、本発明の実施形態について添付図面に基づいて説明する。
【００２７】
本実施形態の暖房機は、図１に示すように、暖房機本体１と、暖房機本体１に対し操作信号を送信可能なリモコン８とを備えている。
【００２８】
暖房機本体１は、暖房機の主体を構成する。暖房機本体１は、人や居住空間等に熱を与えるヒータであり、例えば、ファンヒータ等の温風式暖房機，オイルヒータやパネルヒータ等の輻射式暖房機が挙げられる。また、暖房機本体１の熱源は、ガス，石油，または電気等が挙げられるが、特に限られない。本実施形態の暖房機本体１は、ガスファンヒータにより構成されている。
【００２９】
暖房機本体１は、図２に示すように、ヒータ装置２と、本体操作部６と、制御装置３と、リモコン信号受信部４と、ハウジング５（図１）とを備えている。ハウジング５は、箱状に形成されており、ヒータ装置２，および制御装置３を内部に収容する。図１に示すように、ハウジング５の正面上部には、リモコン信号受信部４が露出するようにして配置されている。また、ハウジング５の正面下部には、温風吹出口５１が形成されており、ヒータ装置２から送出される温風が温風吹出口５１を介して外部に送り出される。
【００３０】
ヒータ装置２は、熱源の供給を受けて熱を発生させる。本実施形態のヒータ装置２は、温風を発生させ、当該温風を温風吹出口５１から送り出す。ヒータ装置２は、図２に示すように、対流用ファンモータ２１と、室内温度検知装置２２と、点火器２３と、炎検知装置２４と、ガス電磁弁２５と、ガス比例弁２６とを備えている。なおこれらの構成は、周知の構成であるため、説明を省略する。
【００３１】
制御装置３は、本体操作部６による操作に基づき、ヒータ装置２の動作を制御する。制御装置３は、本体操作部６とヒータ装置２とに電気的に接続されている。また、制御装置３には、リモコン信号受信部４が電気的に接続されている。これにより、制御装置３は、リモコン８から出力された信号を、リモコン信号受信部４を介して受信することができる。
【００３２】
本体操作部６は、ユーザーが暖房機本体１の動作を指示するための部分であり、ユーザーが操作することにより、制御装置３に操作信号を出力する。本体操作部６は、図１に示すように、ハウジング５の天面に設けられている。ここで、本体操作部６の拡大図を図３に示す。図３に示すように、本体操作部６は、運転状態の切り替えをする操作部６０と、操作機本体の現状の運転状態を示す操作表示部７とを備えている。
【００３３】
操作部６０は、暖房機本体１の運転開始と運転停止との間で切替操作が可能な運転切替部６１と、運転切替部６１の特定の操作を実行させないロック状態とアンロック状態との切り替え操作が可能なロック切替部６４と、エコ運転の「入」と「切」とを切り替えるエコ運転切替部６２と、設定温度の変更やタイマー時間の設定変更を行う温度／時間設定部６３とを備えている。
【００３４】
運転切替部６１は、運転スイッチ６１１と、おはようタイマースイッチ６１２と、おやすみタイマースイッチ６１３とを含む。これらスイッチは、押し操作することで、制御装置３に対し、操作信号を出力するように構成されている。
【００３５】
運転スイッチ６１１は、押し操作することで、運転開始の操作信号、または、運転停止の操作信号を出力することができ、繰り返し押し操作することで、これらの操作信号を交互に出力することができる。この操作信号を受け取った制御装置３は、当該操作信号に基づき、ヒータ装置２の通常運転または運転停止を実行する。すなわち、運転スイッチ６１１は、暖房機本体１の通常運転の開始と運転停止とを切り替えることができる。
【００３６】
おはようタイマースイッチ６１２は、押し操作することで、おはようタイマーの設定の操作信号、または、おはようタイマーの設定解除の操作信号を出力することができ、繰り返し押し操作することで、これらの操作信号を交互に出力することができる。この操作信号を受け取った制御装置３は、当該操作信号に基づき、ヒータ装置２に対し、おはようタイマーの設定、または、おはようタイマーの解除を実行する。すなわち、おはようタイマースイッチ６１２は、おはようタイマーの設定と、おはようタイマーの解除とを切り替えることができる。おはようタイマーが設定されると、暖房機本体１の運転が停止し、予め設定された時刻が到来したら運転を開始する。
【００３７】
おやすみタイマースイッチ６１３は、押し操作することで、おやすみタイマーの設定の操作信号、または、おやすみタイマーの設定解除の操作信号を出力することができ、繰り返し押し操作することで、これらの操作信号を交互に出力することができる。この操作信号を受け取った制御装置３は、当該操作信号に基づき、ヒータ装置２に対し、おやすみタイマーの設定、または、おやすみタイマーの解除を実行する。すなわち、おやすみタイマースイッチ６１３は、おやすみタイマーの設定と、おやすみタイマーの解除とを切り替えることができる。おやすみタイマーが設定されると、暖房機本体１の運転が開始され、予め設定された時刻が到来したら運転を停止する。
【００３８】
エコ運転切替部６２は、エコスイッチ６２１によって構成されている。エコスイッチ６２１は、押し操作することで、エコ運転（省エネルギー運転）「入」の操作信号、またはエコ運転「切」の操作信号を出力することができ、繰り返し押し操作することで、これらの操作信号を交互に出力することができる。この操作信号を受け取った制御装置３は、当該操作信号に基づき、ヒータ装置２に対し、エコ運転の「入」、または、エコ運転の「切」を実行する。すなわち、エコスイッチ６２１は、エコ運転の開始と、エコ運転の解除とを切り替えることができる。
【００３９】
温度／時間設定部６３は、室温の目標温度を設定し、または、おはようタイマーとおやすみタイマーとの時間設定を行う。温度／時間設定部６３は、アップ・ダウンスイッチ６３１，６３２により構成されている。アップ・ダウンスイッチ６３１，６３２は、上方向を示す印（三角形）が示されたアップスイッチ６３１と、下方向を示す印（逆三角形）が示されたダウンスイッチ６３２とを含み、これらを押し操作することで、時間値または温度値の変更を行うことができる。アップ・ダウンスイッチ６３１，６３２は、押し操作することで、制御装置３に対し、数値変更の操作信号を出力することができる。この操作信号を受け取った制御装置３は、当該操作信号に基づき、ヒータ装置２の動作を制御する。
【００４０】
ロック切替部６４は、操作部６０のうち特定の操作を実行させないロック状態と、このロック状態を解除するアンロック状態との間で、切替操作が可能に構成される。本実施形態のロック切替部６４は、ロックスイッチ６４１により構成されている。ロックスイッチ６４１は、押し操作することで、ロック状態の操作信号、またはアンロック状態の操作信号を出力することができ、繰り返し押し操作することで、これらの操作信号を交互に出力することができる。この操作信号を受け取った制御装置３は、暖房機本体１の運転中に当該操作信号を受け取った場合と、暖房機本体１の停止中に当該操作信号を受け取った場合とで、以下のとおり、操作部６０のうちの特定のスイッチの操作信号を受け付けないように制御する。
【００４１】
アンロック状態にある暖房機本体１の運転停止中に、ロックスイッチ６４１が押し操作されると、制御装置３は、第１の操作ロックを実行し、ロック状態に切り替える。第１の操作ロックは、図４のフローチャートに示すように、運転スイッチ６１１，おはようタイマースイッチ６１２，及びおやすみタイマースイッチ６１３による操作を不能とさせる（つまり、操作ロックする）。すなわち、制御装置３は、ロック状態において、運転切替部６１による運転停止から運転開始への切替操作を実行させない。なお、本実施形態において、エコスイッチ６２１およびアップ・ダウンスイッチ６２１，６３２は、運転中にのみ操作可能であって、運転停止中には操作不能であるため、第１の操作ロックが実行されることで、本体操作部６のうちロック切替部６４以外の切替操作が不能となる。
【００４２】
また、アンロック状態にある暖房機本体１の運転中に、ロックスイッチ６４１が押し操作されると、制御装置３は、第２の操作ロックを実行し、ロック状態に切り替える。第２の操作ロックは、おはようタイマースイッチ６１２，おやすみタイマースイッチ６１３，エコスイッチ６２１，およびアップ・ダウンスイッチ６３１，６３２による操作を不能とさせる。すなわち、第２の操作ロックが実行された状態では、運転スイッチ６１１が操作ロックされず、運転スイッチ６１１が押し操作されると、制御装置３は、暖房機本体１を運転停止させる。
【００４３】
図３に示すように、操作表示部７は、現在の暖房機本体１の状態や設定状態を示すための表示部であり、制御装置３により表示が制御される。操作表示部７は、運転表示ランプ７１と、おはようタイマーランプ７２と、おやすみタイマーランプ７３と、エコ運転ランプ７４と、ロック状態ランプ７５と、設定室温表示部７６と、現在室温表示部７７とを備えている。ロック状態ランプ７５は、リモコン側ランプ７５１と、本体側ランプ７５２とを含む。
【００４４】
設定室温表示部７６および現在室温表示部７７は、例えば、７セグメントディスプレイにより構成されており、温度表示または時間表示を数値によって表示する。各種ランプは、点灯または消灯により、各運転の実行中または停止中を表示する。ロック状態ランプ７５は、ロック状態にあるか、アンロック状態にあるかを示すランプである。リモコン側ランプ７５１が点灯している状態は、リモコン８によるロック操作が実行された結果、ロック状態に切り替えられたことを示す。本体側ランプ７５２が点灯している状態は、本体操作部６によるロック操作が実行された結果、ロック状態に切り替えられたことを示す。リモコン８によるロック操作については後に詳述する。
【００４５】
リモコン８は、暖房機本体１に対し、無線で通信可能に構成されている。リモコン８は、図５に示すように、リモコン側運転切替部８１と、リモコン側エコ運転切替部８２と、リモコン側温度設定部８３と、リモコン側ロック切替部８４とを備えている。
【００４６】
リモコン側運転切替部８１は、運転スイッチ８１１と、おはようタイマースイッチ８１２と、おやすみタイマースイッチ８１３とを含む。これらスイッチ８１１，８１２，８１３は、押し操作することで、リモコン信号受信部４に対し、操作信号を出力するように構成されている。これらの操作信号を受け取った制御装置３は、本体操作部６からの操作信号を受け取った場合と同じように、ヒータ装置２を制御する。すなわち、リモコン側運転切替部８１は、暖房機本体１に対し、運転開始と運転停止の切替操作をすることができる。
【００４７】
リモコン側エコ運転切替部８２は、エコスイッチ８２１により構成されている。このエコスイッチ８２１は、押し操作することで、リモコン信号受信部４に対し、操作信号を出力するように構成されている。リモコン側温度設定部８３は、アップ・ダウンスイッチ８３１，８３２により構成されている。アップ・ダウンスイッチ８３１，８３２は、上方向を示す印（三角形）が示されたアップスイッチ８３１と、下方向を示す印（逆三角形）が示されたダウンスイッチ８３２とを含む。アップ・ダウンスイッチ８３１，８３２は、押し操作することで、リモコン信号受信部４に対し、数値変更の操作信号を出力することができる。エコスイッチ８２１およびアップ・ダウンスイッチ８３１，８３２の操作信号を受け取った制御装置３は、本体操作部６からの操作信号を受け取った場合と同じように、ヒータ装置２を制御する。
【００４８】
リモコン側ロック切替部８４は、ロックスイッチ８４１により構成されている。ロックスイッチ８４１は、押し操作することで、ロック状態の操作信号、またはアンロック状態の操作信号を出力することができ、繰り返し押し操作することで、これらの操作信号を交互に出力することができる。ロックスイッチ８４１による操作信号を受け取った制御装置３は、暖房機本体１の運転中に当該操作信号を受け取った場合と、暖房機本体１の停止中に当該操作信号を受け取った場合とで、異なる制御をヒータ装置２に対して実行する。
【００４９】
暖房機本体１の運転停止中に、リモコン８のロックスイッチ８４１が押し操作されると、制御装置３は、第３の操作ロックを実行し、ロック状態に切り替える。第３の操作ロックは、図４のフローチャートに示すように、本体操作部６の運転スイッチ６１１，本体操作部６のおはようタイマースイッチ６１２，本体操作部６のおやすみタイマースイッチ６１３，及び、本体操作部６のロックスイッチ６４１による操作を不能とさせる。すなわち、制御装置３は、暖房機本体１の運転停止中において、リモコン８のロックスイッチ８４１が押し操作された場合、第１の操作ロックにおける制御に加えて、本体操作部６のロック切替部６４によるロック状態からアンロック状態への切替操作を不能とさせる制御を行う。
【００５０】
なお、第１の操作ロックの場合と同様、本体操作部６のエコスイッチ６２１およびアップ・ダウンスイッチ６３１，６３２は、運転中にのみ操作可能であって、運転停止中には操作不能である。このため、第３の操作ロックが実行されることで、本体操作部６におけるすべての切替操作が不能となる。
【００５１】
また、暖房機本体１の運転中に、リモコン８のロックスイッチ８４１が押し操作されると、制御装置３は、第４の操作ロックを実行し、ロック状態に切り替える。第４の操作ロックは、本体操作部６の運転スイッチ６１１，本体操作部６のおはようタイマースイッチ６１２，本体操作部６のおやすみタイマースイッチ６１３，本体操作部６のエコスイッチ６２１，本体操作部６のアップ・ダウンスイッチ６３１，６３２，及び、本体操作部６のロックスイッチ６４１による操作を不能とさせる。すなわち、制御装置３は、暖房機本体１の運転中において、リモコン８のロックスイッチ８４１が押し操作された場合、第２の操作ロックにおける制御に加えて、本体操作部６の運転スイッチ６１１による運転停止への切替操作を不能とさせ、かつ、本体操作部６のロック切替部６４によるロック状態からアンロック状態への切替操作を不能とさせる制御を行う。つまり、第４の操作ロックが実行されることで、本体操作部６におけるすべての切替操作が不能となる。
【００５２】
なお、暖房機本体１の運転中に、第４の操作ロックが実行されている場合であっても、本体操作部６による運転スイッチ６１１を長押し（例えば５秒以上、運転スイッチ６１１を押し続けること）することで、暖房機本体１の運転を緊急停止することができる。
【００５３】
このように、本実施形態の暖房機は、リモコン８のリモコン側ロック切替部８４によってロック状態へ切替操作されると、本体操作部６による操作を不能とさせる。このため、本実施形態の暖房機によれば、例えば、リモコン８によってロック状態へ切替操作した後、リモコン８を子供等の手の届かない場所に置くことで、子供がいたずらをして、本体操作部６の運転切替部６１を操作しようとしても、暖房機本体１が運転停止してしまうのを防止できる。また、子供がいたずらをして、本体操作部６のロック切替部６４の切替操作をしようとしても、ロック状態が解除されるのを防止できる。
【００５４】
ここで、第４の操作ロック実行中（つまり、暖房機本体１は運転中）において、制御装置３は、リモコン８の操作部（リモコン側運転切替部８１，リモコン側エコ運転切替部８２，リモコン側温度設定部８３，リモコン側ロック切替部８４）のうち、リモコン側運転切替部８１による運転停止の操作と、リモコン側ロック切替部８４によるロック状態の解除の操作とを受け付け、他の切替操作を受け付けないように制御する。
【００５５】
また、第３の操作ロック実行中（つまり、暖房機本体１は停止中）において、制御装置３は、リモコン８の操作部６０のうち、リモコン側ロック切替部８４によるロック状態の解除の操作を受け付け、他の切替操作を受け付けないように制御する。
【００５６】
これにより、第３，４の操作ロック実行中において、運転停止時にあっては、リモコン８を操作することによる不意な運転開始の誤操作を防ぎつつ、運転時にあっては、緊急的に運転停止を行う必要が生じた場合に、直ちにリモコン８を使用して運転停止を実行することができる。
【００５７】
なお、第３の操作ロックおよび第４の操作ロック時のリモコン８からの操作信号については、リモコン８からのすべての操作を受け付けるようにしてもよいし、リモコン側ロック切替部８４の操作と、リモコン側運転切替部８１による操作（運転開始と運転停止のいずれも）を受け付け、その他の切替操作を受け付けないようにしてもよい。
【００５８】
図６，７には、第１〜第４の操作ロック時の制御のフローチャートを示しており、特に、図６は、運転停止中においてリモコン側ロック切替部８４を切替操作した場合のフローチャートを示す。
【００５９】
図６に示すように、暖房機本体１の運転停止中において、本体操作部６のロックスイッチ６４１が押し操作され、ロック状態に切替操作されると、第１の操作ロックを実行する（Ｓ１〜Ｓ２）。第１の操作ロックを実行した状態において、本体操作部６のロックスイッチ６４１が押し操作され、アンロック状態に切替操作されると、第１の操作ロックを解除する（Ｓ３〜Ｓ４）。
【００６０】
第１の操作ロック実行中において本体操作部６のロックスイッチ６４１が押し操作されない場合において、リモコン側ロックスイッチ６４１が押し操作されると、第３の操作ロックを実行する（Ｓ３〜Ｓ６）。また、アンロック状態にある暖房機本体１の運転停止中に、リモコン８のロックスイッチ８４１が押し操作されても、第３の操作ロックを実行する（Ｓ１，Ｓ５，Ｓ６）。
【００６１】
第３の操作ロックを実行した状態において、リモコン８のロックスイッチ８４１が押し操作され、アンロック状態に切替操作されると、第３の操作ロックを解除する（Ｓ６〜Ｓ８）。
【００６２】
次に、運転中における操作ロック時の制御装置３の動作を説明する。図７には、運転中においてリモコン側ロック切替部８４を切替操作した場合のフローチャートを示す。
【００６３】
図７に示すように、暖房機本体１の運転中において、本体操作部６のロックスイッチ６４１が押し操作され、ロック状態に切替操作されると、第２の操作ロックを実行する（Ｓ１１，Ｓ１２）。第２の操作ロックを実行した状態において、本体操作部６の運転スイッチ６１１が押し操作されると、暖房機本体１の運転を停止し、第２の操作ロックから第１の操作ロックに移行する（Ｓ１３〜Ｓ１５）。なお、第１の操作ロックが実行された後のフローは、図６のステップ２以降のフローとなる。
【００６４】
第２の操作ロックを実行した状態において、本体操作部６のロックスイッチ６４１が押し操作され、アンロック状態に切替操作されると、第２の操作ロックを解除する（Ｓ１３，Ｓ１６，１７）。
【００６５】
第２の操作ロックを実行した状態において、リモコン８のロックスイッチ８４１が押し操作されると、第４の操作ロックを実行する（Ｓ１６，Ｓ１８，Ｓ１９）。また、アンロック状態にある暖房機本体１の運転中に、リモコン８のロックスイッチ８４１が押し操作されても、第４の操作ロックを実行する（Ｓ１１，Ｓ１８，Ｓ１９）。
【００６６】
第４の操作ロックを実行した状態において、リモコン８の運転スイッチ８１１が押し操作されると、暖房機本体１の運転を停止し、第４の操作ロックから第１の操作ロックに移行する（Ｓ２０，Ｓ２１，Ｓ２２）。
【００６７】
第４の操作ロックを実行した状態において、リモコン８のロックスイッチ８４１が押し操作され、アンロック状態に切替操作されると、第４の操作ロックを解除する（Ｓ２０，Ｓ２３，Ｓ２４）。
【００６８】
また、本実施形態の暖房機は、ユーザーがリモコン８を持ちながら移動する等、リモコン８が暖房機から離れ過ぎてしまった場合や、暖房機の運転中にリモコン８の電池が消耗してしまった場合には、操作しようとしても、直ちには暖房機本体１を操作できない可能性がある。そこで、本実施形態の暖房機は、以下のような構成を採用し、この問題を解決している。以下、説明する。
【００６９】
本実施形態のリモコン８は、常時、定期的に信号を出力するように構成されている（本実施形態において、この信号を定期信号という）。定期信号は、所定長さの信号を、一定の間隔で出力する信号であり、例えば、１分間隔で出力される。
【００７０】
リモコン信号受信部４は、この定期信号を受信し、制御装置３に出力する。制御装置３は、定期信号を監視し、定期信号が一定の間隔で入力されている場合には、上述のとおり、第３の操作ロック、または第４の操作ロックの実行を継続する。
【００７１】
一方、第３の操作ロックの実行中に、定期信号が一定時間遮断されると（信号遮断状態という）、制御装置３は、第３の操作ロックから第１の操作ロックに移行する。すなわち、第１の操作ロックが実行された状態の暖房機本体１は、運転停止中であるので、本体操作部６のロック切替部６４によるアンロック状態への切替操作のみが可能となる。
【００７２】
また、第４の操作ロックの実行中に、定期信号が信号遮断状態になると、第４の操作ロックから第２の操作ロックに移行する。すなわち、第２の操作ロックが実行された状態の暖房機本体１は、運転中であるので、本体操作部６の運転切替部６１による運転停止への切替操作と、ロック切替部６４によるアンロック状態への切替操作とが可能となる。
【００７３】
なお、信号遮断状態は、定期信号が一定の時間、制御装置３に入力されない状態をいい、本実施形態の制御装置３は、例えば、定期信号が連続して５回分入力されない場合に、信号遮断状態と判断する。
【００７４】
また、第３，第４の操作ロック中において信号遮断状態となり、第１の操作ロックまたは第２の操作ロックに移行した場合において、再度、制御装置３が定期信号を受信し始めて、信号遮断状態が解除されると、制御装置３は、第１の操作ロックを第３の操作ロックに復帰させ、第２の操作ロックを第４の操作ロックに復帰させる。すなわち、暖房機本体１は、第３，第４の操作ロック中において信号遮断状態となった後、定期信号を受信すると、再度、本体操作部６による操作を不能とさせる。
【００７５】
この信号遮断状態後の操作ロックの復帰は、定期信号を複数回（例えば、５回）受信した後に実行することが好ましい。
【００７６】
これにより、仮に、リモコン８が一時的に移動して、信号遮断状態になり、暖房機本体１の本体操作部６による切替操作が可能となっても、暖房機本体１に近付けることで、再び、暖房機本体１の本体操作部６による切替操作を不能とさせることができ、適切な操作ロックを継続することができる。
【００７７】
図８，９には、信号遮断状態後に再度定期信号を受信したときの制御装置３のフローチャートを示しており、特に、図８は、運転停止中においてリモコン側ロック切替部８４を切替操作した場合のフローチャートを示す。なお、図８において、ステップ３０〜３５は、図６のフローチャートＳ１〜Ｓ６と同じであるため、説明を省略し、ステップ３６以降を説明する。
【００７８】
第３の操作ロックを実行した状態において、制御装置３は、リモコン８が出力する定期信号を定期的に受信しているか否かを監視する（Ｓ３６）。例えば、リモコン８が暖房機本体１から離れ、制御装置３がリモコン８からの定期信号について信号遮断状態にあると判断すると、第３の操作ロックから第１の操作ロックに移行する（Ｓ３９）。
【００７９】
第１の操作ロックを実行した状態において、制御装置３は、リモコン８が出力する定期信号を定期的に受信しているか否かを監視する（Ｓ４０）。制御装置３が定期信号を定期的に再受信したと判断すると、第１の操作ロックから第３の操作ロックに移行する（Ｓ４０，Ｓ３５）。
【００８０】
一方、制御装置３が定期信号について信号遮断状態にある状態において、本体操作部６のロックスイッチ６４１が押し操作され、第１の操作ロックのロック状態がアンロック状態に切替操作されると、制御装置３は第１の操作ロックを解除する（Ｓ３９〜Ｓ４２）。
【００８１】
次に、運転中における操作ロック時の制御装置３の動作を説明する。図９には、運転中においてリモコン側ロック切替部８４を切替操作した場合のフローチャートを示す。なお、図９において、ステップ５０〜５８は、図７のフローチャートのＳ１１〜Ｓ１９と同じであるため、説明を省略し、ステップ５９以降を説明する。
【００８２】
第４の操作ロックを実行した状態において、制御装置３は、リモコン８が出力する定期信号を定期的に受信しているか否かを監視する（Ｓ５９）。制御装置３が定期信号について信号遮断状態にあると判断すると、第４の操作ロックから第２の操作ロックに移行する（Ｓ６５）。
【００８３】
第２の操作ロックを実行した状態において、制御装置３は、リモコン８が出力する定期信号を定期的に受信しているか否かを監視する（Ｓ６６）。制御装置３が定期信号を定期的に再受信したと判断すると、第２の操作ロックから第４の操作ロックに移行する（Ｓ６６，Ｓ５８）。
【００８４】
一方、制御装置３が定期信号について信号遮断状態にある状態において、本体操作部６のロックスイッチ６４１が押し操作され、アンロック状態に切替操作されると、制御装置３は第２の操作ロックを解除する（Ｓ６５〜Ｓ６８）。
【００８５】
第４の操作ロックを実行し（Ｓ５８）、制御装置３が定期信号を受け取っている状態で、リモコン８の運転スイッチ８１１が押し操作されると、暖房機本体１の運転を停止し、第４の操作ロックから第１の操作ロックに移行する（Ｓ５９〜Ｓ６２）。なお、第１の操作ロックが実行された後のフローは、図６のステップ２以降のフローとなる。
【００８６】
第４の操作ロックを実行した状態において（Ｓ５８）、リモコン８のロックスイッチ８４１が押し操作され、アンロック状態に切替操作されると（Ｓ６０，Ｓ６３）、第４の操作ロックを解除する（Ｓ６４）。
【００８７】
〔応用〕
本実施形態において、制御装置３が監視する信号は、定期的にリモコン８から発信される定期信号であったが、連続的に発信される信号であってもよい。
【００８８】
本実施形態の本体操作部６は、運転切替部６１と、ロック切替部６４と、エコ運転切替部６２と、温度／時間設定部６３とを備えていたが、これに限らず、本体操作部６は、運転切替部６１およびロック切替部６４だけで構成されてもよい、つまり、本体操作部６は、少なくとも運転切替部６１およびロック切替部６４を有していればよい。また、本実施形態の運転切替部６１は、運転スイッチ６１１と、おはようタイマースイッチ６１２と、おやすみタイマースイッチ６１３とを備えていたが、おはようタイマースイッチ６１２，おやすみタイマースイッチ６１３はなくてもよく、運転スイッチ６１１だけで構成されてもよい。
【００８９】
本実施形態の各種スイッチは、押し操作するごとに「入」と「切」とを繰り返すいわゆるオルタネイト型のスイッチにより構成されたが、「入」と「切」とを別々のスイッチで構成してもよい。
【００９０】
ロック状態の対象である運転切替部６１の例として、上記実施形態では、運転スイッチ６１１と、おはようタイマースイッチ６１２と、おやすみタイマースイッチ６１３とをいずれも不能とした例であったが、例えば、運転スイッチ６１１のみをロック状態の対象としてもよい。
【００９１】
また、本実施形態の暖房機は、暖房機本体１が運転した状態におけるリモコンによる操作ロックを第４の操作ロックとし、暖房機本体１が運転停止した状態におけるリモコンによる操作ロックを第３の操作ロックとしたが、これに限定されない。すなわち、例えば、暖房機本体１が運転した状態におけるリモコンによる操作ロックを第４の操作ロックとし、かつ、暖房機本体１が運転停止した状態におけるリモコンによる操作ロックについては、従来と同様の第１の操作ロックとした暖房機であってもよい。また、例えば、暖房機本体が運転した状態におけるリモコンによる操作ロックを従来と同様の第２の操作ロックとし、かつ、暖房機本体が運転停止した状態におけるリモコンによる操作ロックについて、第３の操作ロックとした暖房機であってもよい。
【００９２】
その他、本実施形態の構成は、本発明の主旨を逸脱しない範囲であれば、適宜設計変更を行うことができる。
【符号の説明】
【００９３】
１      暖房機本体
６      本体操作部
６１    運転切替部
６４    ロック切替部
８      リモコン
８１    リモコン側運転切替部
【図１】
2018035985.tif 000003
【図２】
2018035985.tif 000004
【図３】
2018035985.tif 000005
【図４】
2018035985.tif 000006
【図５】
2018035985.tif 000007
【図６】
2018035985.tif 000008
【図７】
2018035985.tif 000009
【図８】
2018035985.tif 000010
【図９】
2018035985.tif 000011